(57)【特許請求の範囲】
【請求項１】
便座と、この便座を回動自在に軸支する便座支持部材とを備えた便座装置を便器本体の上面に取り付けて昇降させる便座リフトアップ装置であって、
上下方向に貫設された貫通孔と、この貫通孔の前後方向の中心に対して前後方向の一方に偏った位置に設けられた第１係止部とを有し、上下面を反転させずに前後を反転して前記便器本体の上面に固定することができる下プレートと、
この下プレートが上下面を反転させずに前後を反転して前記便器本体の上面に固定されることにより前後方向に変位する前記第１係止部に対応して前後方向に変位したそれぞれの位置で前記下プレートに対して昇降し、下降した際に前記第１係止部に係止する第２係止部を有し、前記便座支持部が取り付けられる上プレートと、
この上プレートの前後方向の変位に対応した位置に取り付けられて下方に延び、前記貫通孔と前記便器本体に貫設された取付孔とを挿通して前記下プレートを前記便器本体の上面に固定し、上下方向に伸縮する便座取付具とを備え、
前記第１係止部又は前記第２係止部の一方が左右方向に往復移動可能であり、左右方向から前記第１係止部又は前記第２係止部の他方に係止することを特徴とする便座リフトアップ装置。
【請求項２】
前記第１係止部と前記第２係止部は複数個ずつ設けられていることを特徴とする請求項１記載の便座リフトアップ装置。
【請求項３】
前記各第１係止部は、前後方向に並んで配置されており、前記下プレートが上下面を反転させずに前後を反転して前記便器本体の上面に固定されても前後方向に並んで配置された前記各第２係止部に対して同じ位置関係に配置されることを特徴とする請求項２記載の便座リフトアップ装置。
【請求項４】
前記各第１係止部は、左右方向に並んで配置されており、前記下プレートが上下面を反転させずに前後を反転して前記便器本体の上面に固定されても左右方向に並んで配置された前記各第２係止部に対して同じ位置関係に配置されることを特徴とする請求項２又は３記載の便座リフトアップ装置。
【請求項５】
前記便座装置と請求項１乃至４のいずれか１項記載の便座リフトアップ装置とを備えていることを特徴とする昇降便座。
【発明の詳細な説明】
【技術分野】
【０００１】
本発明は便座リフトアップ装置及び昇降便座に関する。
【背景技術】
【０００２】
特許文献１の図１には、従来の便座リフトアップ装置が開示されている。この便座リフトアップ装置は、便座と、この便座を回動自在に軸支する便座支持部材とを備えた便座装置を便器本体の上面に取り付けて昇降させることができる。また、この便座リフトアップ装置は、便座支持部材の底面に取り付けられて下方に延びる軸部材と、便器本体に貫設された取付孔に固定され、軸部材が挿通する貫通孔を有するボルト部材と、ボルト部材の貫通孔内に収納されて軸部材を上昇させる方向に弾性力を付与する弾性部材とを備えている。軸部材の外側面には上下方向の離れた位置に複数の係止凹部が形成されている。ボルト部材の側面には、軸部材の凹部に係止する係止爪が設けられている。
【０００３】
この便座リフトアップ装置では、弾性部材の弾性力に抗して軸部材を下降させた状態で係止爪を係止凹部に係止させることにより、軸部材を下降位置に保持することができる。これにより、便座装置は便器本体の上面に載置した状態になる。また、この便座リフトアップ装置では、係止爪と係止凹部との係止を解除すると、弾性部材の弾性力が軸部材を上昇させる方向に働く。このため、弾性部材の弾性力を利用して、便座装置を便器本体の上面より上方に上昇した位置に保持することができる。このようにして、便座支持部材の下面と便器本体の後部上面との間に隙間を生じさせ、その隙間を利用して便器本体の上面を容易に清掃することができる。
【０００４】
特許文献２には、従来の他の便座リフトアップ装置が開示されている。この便座リフトアップ装置も、便座と、この便座を回動自在に軸支する便座支持部材とを備えた便座装置を便器本体の上面に取り付けて昇降させることができる。また、この便座リフトアップ装置は、便器本体の上面に取り付けられる下プレートと、下プレートに対して昇降し、便座支持部材が取り付けられる上プレートとを備えている。下プレートは下面から下方に延びて形成された一対のボルト部を有している。ボルト部は、便器本体の左右に並んで貫設された一対の取付孔に挿通され、軸方向に貫通孔が形成されている。上プレートは、下面から延びて形成された一対の軸部を有している。軸部はボルト部の貫通孔に挿通される。各軸部の外側面には上下方向に離れた位置に複数の係止凹部が形成されている。下プレートには軸部の係止凹部に係止する係止爪を有する係止部材が組み込まれている。
【０００５】
この便座リフトアップ装置では、便座支持部材と共に上プレートを上方に引き上げて係止凹部に係止爪を係止させることにより、便座装置を便器本体の上面より上方に上昇させた位置に保持することができる。このようにして、便座支持部材の下面と便器本体の後部上面との間に隙間を生じさせ、その隙間を利用して便器本体の上面を容易に清掃することができる。
【先行技術文献】
【特許文献】
【０００６】
【特許文献１】特開２０００−５１００号公報
【特許文献２】特開２００４−３４４４７５号公報
【発明の概要】
【発明が解決しようとする課題】
【０００７】
しかし、特許文献１及び２の便座リフトアップ装置では、便器本体の大きさの変化（大型便器と標準便器）に対応して便器本体の上面に取り付けることができない。また、特許文献２の便座リフトアップ装置のボルト部を特許文献１のボルト部材と同様の構成にすることにより弾性部材の弾性力を利用して上プレートを上方に保持することが考えられる。しかし、このように構成した便座リフトアップ装置では、弾性部材の弾性力に抗して上プレートを下降位置に保持する際、軸部材の係止凹部に係止爪を係止するのみであり、上プレートと下プレートとが係止するものではない。このため、便座支持部材が取り付けられる上プレートの安定性に欠けるおそれがある。
【０００８】
本発明は、上記従来の実情に鑑みてなされたものであって、便器本体の大きさの変化に対応することができ、便座装置を便器本体の上面に安定して取り付けることができる便座リフトアップ装置及び昇降便座を提供することを解決すべき課題としている。
【課題を解決するための手段】
【０００９】
本発明の便座リフトアップ装置は、便座と、この便座を回動自在に軸支する便座支持部材とを備えた便座装置を便器本体の上面に取り付けて昇降させる便座リフトアップ装置であって、
上下方向に貫設された貫通孔と、この貫通孔の前後方向の中心に対して前後方向の一方に偏った位置に設けられた第１係止部とを有し、上下面を反転させずに前後を反転して前記便器本体の上面に固定することができる下プレートと、
この下プレートが上下面を反転させずに前後を反転して前記便器本体の上面に固定されることにより前後方向に変位する前記第１係止部に対応して前後方向に変位したそれぞれの位置で前記下プレートに対して昇降し、下降した際に前記第１係止部に係止する第２係止部を有し、前記便座支持部が取り付けられる上プレートと、
この上プレートの前後方向の変位に対応した位置に取り付けられて下方に延び、前記貫通孔と前記便器本体に貫設された取付孔とを挿通して前記下プレートを前記便器本体の上面に固定し、上下方向に伸縮する便座取付具とを備え、
前記第１係止部又は前記第２係止部の一方が左右方向に往復移動可能であり、左右方向から前記第１係止部又は前記第２係止部の他方に係止することを特徴とする。
【００１０】
この便座リフトアップ装置では、下プレートの上下面を反転させずに前後を反転して便器本体の上面に取り付けると、第１係止部が便器本体の取付孔に対して前後方向に変位した位置に配置される。これにより、上プレートは、第１係止部の変位に対応して前後方向に変位したそれぞれの位置で昇降することができる。この上プレートの前後方向の変位を大型便器及び標準便器における便器本体の左右取付孔の中心を結んだ線から便器本体の前端までの寸法差に設定することにより、この便座リフトアップ装置は大型便器及び標準便器のそれぞれに便座装置を取り付けることができる。
【００１１】
この便座リフトアップ装置では、下プレートを上下面を反転させずに前後を反転して便器本体の上面に取り付けても、下プレートに設けられた第１係止部又は上プレートの設けられた第２係止部の一方が左右方向に往復移動し、第１係止部又は第２係止部の他方に左右方向から係止するため、下プレートに設けられた第１係止部と上プレートに設けられた第２係止部とが良好に係止する。このため、便座支持部材が取り付けられる上プレートは下降位置において安定して保持される。
【００１２】
したがって、本発明の便座リフトアップ装置は、便器本体の大きさの変化に対応することができ、便座装置を便器本体の上面に安定して取り付けることができる。
【００１３】
前記第１係止部と前記第２係止部は複数個ずつ設けられ得る。この場合、上プレートが下プレートに対して下降した際に、下プレートに設けられた複数の第１係止部と上プレートに設けられた複数の第２係止部とが係止するため、便座支持部材が取り付けられる上プレートは下降位置においてさらに安定して保持される。
【００１４】
前記各第１係止部は、前後方向に並んで配置されており、前記下プレートが上下面を反転させずに前後を反転して前記便器本体の上面に固定されても前後方向に並んで配置された前記各第２係止部に対して同じ位置関係に配置され得る。この場合、下プレートが上下面を反転せずに前後を反転して便器本体の上面に取り付けても、下プレートに設けられた複数の第１係止部と上プレートに設けられた複数の第２係止部とを良好かつ強固に係止することができる。
【００１５】
前記各第１係止部は、左右方向に並んで配置されており、前記下プレートが上下面を反転させずに前後を反転して前記便器本体の上面に固定されても左右方向に並んで配置された前記各第２係止部に対して同じ位置関係に配置され得る。この場合、下プレートが上下面を反転せずに前後を反転して便器本体の上面に取り付けても、下プレートに設けられた複数の第１係止部と上プレートに設けられた複数の第２係止部とを良好かつ強固に係止することができる。
【００１６】
本発明の昇降便座は、前記便座装置と前記便座リフトアップ装置とを備えていることを特徴とする。この昇降便座では上述した効果を奏することができる。
【図面の簡単な説明】
【００１７】
【図１】便座リフトアップ装置と便座装置とを示す斜視図である。
【図２】昇降便座を大型便器に取り付けた状態を示す概略図である。
【図３】昇降便座を標準便器に取り付けた状態を示す概略図である。
【図４】大型便器に取り付ける際の便座リフトアップ装置を示す分解図である。
【図５】大型便器に取り付けられた下プレートを示す平面図である。
【図６】大型便器に取り付けられた便座リフトアップ装置を示す側面図である。
【図７】大型便器に取り付けられた便座リフトアップ装置を示す側面図である。
【図８】大型便器に取り付けられた便座リフトアップ装置を示す平面断面図である。
【図９】標準便器に取り付ける際の便座リフトアップ装置を示す分解図である。
【図１０】標準便器に取り付けられた下プレートを示す平面図である。
【図１１】標準便器に取り付けられた便座リフトアップ装置を示す側面図である。
【図１２】標準便器に取り付けられた便座リフトアップ装置を示す側面図である。
【図１３】標準便器に取り付けられた便座リフトアップ装置を示す平面断面図である。
【図１４】大型便器に取り付けられた便座リフトアップ装置を示す平面図である。
【図１５】便座リフトアップ装置の動作を示す概略図であり、（ａ）レバー部材が圧縮コイルバネの弾性力により右側に位置した状態、（ｂ）レバー部材が中間位置に引き出された状態、（ｃ）レバー部材が左方向へ引き出された状態を示す。
【図１６】便座リフトアップ装置の動作を示す概略図であり、（ａ）レバー部材が圧縮コイルバネの弾性力により右側に位置した状態、（ｂ）レバー部材が中間位置に引き出された状態、（ｃ）レバー部材が左方向へ引き出された状態を示す。
【図１７】図１４の矢視Ｘ−Ｘ断面において、上プレートが下降位置に位置した状態を示す断面図である。
【図１８】図１４の矢視Ｘ−Ｘ断面において、上プレートが上昇位置に位置した状態を示す断面図である。
【図１９】便座装置が上昇位置に位置した状態を示す概略図である。
【発明を実施するための形態】
【００１８】
本発明の便座リフトアップ装置を利用して便器本体の上面に便座装置を取り付けて昇降可能にした昇降便座を具体化した実施例を図面を参照しつつ説明する。
【００１９】
＜実施例＞
実施例の昇降便座は、図１〜図４に示すように、便座装置１０と便座リフトアップ装置２０とを備えている。便座装置１０は、便座１１、便蓋１２及び便座支持部材１３を備えている。便座支持部材１３は便座１１と便蓋１２を回動自在に軸支している。また、便座支持部材１３は２本の局部洗浄ノズル１３Ａ、温水タンク１３Ｂ及び制御装置１３Ｃ等を収納している。２本の局部洗浄ノズル１３Ａはおしり用とビデ用である。温水タンク１３Ｂは局部洗浄ノズル１３Ａに洗浄水を供給する図示しない給水路の途中に設けられている。制御装置１３Ｃは、温水タンク１３Ｂ内の水温調整や、図示しない給水路の途中に設けられた開閉弁の開閉等を制御する。
【００２０】
便座支持部材１３の底面には、便座リフトアップ装置２０の重ね合わされた状態の下プレート３０及び上プレート４０を収納する凹部１４が設けられている。凹部１４を形成する左右の内側面には、下端縁から内側に向かって突出した段部１４Ａが形成されている。この段部１４Ａは、便座リフトアップ装置２０を凹部１４内に収納した際、便座リフトアップ装置２０の上プレート４０に設けられた鍔部４１Ａが係止する。
【００２１】
また、便座支持部材１３は、便座支持部材１３の左右方向に移動可能に組み込まれたレバー部材１５を有している。レバー部材１５は、便座支持部材１３の底面に沿って延びており、凹部１４内で下方に突出する２つの爪部１５Ａを有している。レバー部材１５の一端部には操作部１５Ｂが設けられている。操作部１５Ｂは、便座支持部材１３が便器本体１Ａ、１Ｂに取り付けられた際に便器本体１Ａ、１Ｂの前方側から見て左側面に露出している。レバー部材１５と便座支持部材１３との間には圧縮コイルバネ１６が介在している。この圧縮コイルバネ１６はレバー部材１５に対して右方向へ弾性力を付与している。このため、常時、レバー部材１５は、操作部１５Ｂの外側面が便座支持部材１３の左側面と面一になるように配置されている。
【００２２】
便器本体１Ａ、１Ｂの後部上面には所定間隔を有して左右に並んだ取付孔３が貫設されている。図２に示す便器本体１Ａは、左右の取付孔３の中心を結んだ線から便器本体の前端までの寸法が４７０ｍｍ±２０ｍｍに設計され、製造された陶器製の大型便器である。また、図３に示す便器本体１Ｂは、左右の取付孔３の中心を結んだ線から便器本体の前端までの寸法が４４０ｍｍ±２０ｍｍに設計され、製造された陶器製の標準便器である。
【００２３】
便座リフトアップ装置２０は、図４及び図９に示すように、下プレート３０、上プレート４０及び便座取付具５０を備えている。
【００２４】
下プレート３０は、１枚の金属板を切り欠いたり、折り曲げたりして形成されている。下プレート３０は、左右両端に設けられ、前後方向に延びる縦長矩形状の左右両端部３１と、左右両端部３１の間に設けられ、左右方向に延びる横長矩形状の中間部３２とを有している。左右両端部３１には前後方向に延びる長孔形状の貫通孔３１Ａが貫設されている。各貫通孔３１Ａは便器本体１の左右に並んだ取付孔３の間隔と同じ間隔で形成されている。
【００２５】
また、各貫通孔３１Ａの前後方向の長さは約５０ｍｍに形成されている。これにより、便器本体１Ａ、１Ｂの製造過程における公差に対応することができる。特に、便器本体１Ａ、１Ｂが陶器製である場合、便器本体１Ａ、１Ｂの左右の取付孔３の中心を結んだ線から便器本体１Ａ、１Ｂの前端までの寸法は±２０ｍｍの公差が見込まれている。このため、各貫通孔３１Ａの前後方向の長さを約５０ｍｍにすることにより、便座装置１０を便器本体１Ａ、１Ｂの上面に取り付ける際、便座１１及び便蓋１２の前端を便器本体１Ａ、１Ｂの前端より僅かに前方へ突出するように微調整することができる。
【００２６】
中間部３２の左右の２ヶ所には、前後方向に並んで配置された一対の第１係止部３３が設けられている。この一対の第１係止部３３は貫通孔３１Ａの前後方向の中心に対して前後方向の一方に偏った位置に設けられている。また、中間部３２の左側に設けられ前後方向に並んだ第１係止部３３と右側に設けられ前後方向に並んだ第１係止部３３とは、左右方向にも並んで配置されている。左右方向に並んだ第１係止部３３は、下プレート３０の左右中央部に対して対称位置に配置されている。各第１係止部３３は、中間部３２から立ち上がる立上り片３３Ａと、立上り片３３Ａの上端から内側に屈曲した係止片３３Ｂとを有している。各第１係止部３３は、係止片３３Ｂの下方に後述する第２係止部４３の被係止片４３Ｂが左右両方向から移動可能に形成されている。
【００２７】
下プレート３０の左右両端部３１の外側部には外側に張り出した嵌合部３４が形成されている。この嵌合部３４は、貫通孔３１Ａの前後方向の中心から約１５ｍｍ前後方向に離れた位置（第１係止部３３が位置する方向）に形成されている。このため、下プレート３０を上下面を反転させずに前後を反転させると、貫通孔３１の前後方向の中心に対して、前後方向に約１５ｍｍずつ嵌合部３４が変位する。
【００２８】
下プレート３０の中間部３２であって各貫通孔３１Ａの内側には、貫通孔３１Ａの前後方向の中心位置を示すマーク３５が形成されている。マーク３５は三角形状に凹設され、貫通孔３１Ａ側に向いた１つの頂点が貫通孔Ａ３１の前後方向の中心位置を示している。
【００２９】
下プレート３０の左右両端部３１の下面には、貫通孔３１Ａより僅かに大きい形状の開口３６Ａが形成された縦長矩形状の滑り止め用パッキン３６が貼着されている。
【００３０】
上プレート４０は、上プレート本体４１、スライド部材４２及び保持部材４４を備えている。上プレート本体４１は、便座支持部材１３に組み込まれたレバー部材１５の２つの爪部１５Ａに対応する位置に前方及び上方に開口した２列の係止溝４５を有している。各係止溝４５の後端部は直角に右方向に屈曲しており、爪部１５Ａが係止する段部４５Ａが形成されている。
【００３１】
上プレート本体４１は各係止溝４５より外側に形成され、上方に開口した固定凹部４６を有している。各固定凹部４６は、下プレート３０の左右両端部３１に貫設された貫通孔３１Ａに対応する位置に形成されている。この固定凹部４６は前後方向に延びている。各固定凹部４６の左右方向の中央部には前後方向に延びる長孔４６Ａが貫設されている。この固定凹部４６には、便座取付具５０を上プレート４０に固定する際、その固定に利用されるワッシャーＷ１及びボルトＢ１が収納される。また、長孔４６ＡはボルトＢ１が挿通される。
【００３２】
上プレート本体４１は、左右上端縁から外側に突出する鍔部４１Ａを有している。また、上プレート本体４１は、左右側部の前後方向の中央部の下縁に下方に向けて開口して切り欠かれた被嵌合部４７を有している。被嵌合部４７は上プレート４０が下プレート３０に対して下降した際に下プレート３０の嵌合部３４に嵌合させる。これにより、下プレート３０に対する上プレート４０の位置決めを行うことができる。
【００３３】
上プレート本体４１の中間部４１Ｂには、下方に開口した収納凹部が形成されている。この収納凹部には、スライド部材４２を収納し、収納凹部の下方から保持部材４４をビスＳにより固定する。このようにして、スライド部材４２は収納凹部内で左右方向に往復移動可能に収納されている。収納凹部には、スライド部材４２が収納された際にスライド部材４２の凹部４２Ａに収納された圧縮コイルバネ４８の一端が当接する当接部４１Ｃが下方に垂下して形成されている。これにより、収納凹部４２Ａに収納されたスライド部材４２には、右方向に向けて圧縮コイルバネ４８の弾性力が付与されている。
【００３４】
スライド部材４２の左右両端部には前後に並んだ一対の第２係止部４３が設けられている。各第２係止部４３は、スライド部材４２の下面から垂下する垂下片４３Ａと、垂下片４３Ａの下端から外側に突出した被係止片４３Ｂとを有している。前後に並んだ２つの垂下片４３Ａの間隔は、下プレート３０に設けられた前後に隣り合う２つの第１係止部３３の係止片３３Ｂの間隔より小さく形成されている。また、各被係止片４３Ｂは、下プレート３０に設けられた第１係止部３３の各係止片３３Ｂに対応する位置に形成されている。このように形成された第２係止部４３はスライド部材４２と伴に左右方向に往復移動可能である。
【００３５】
スライド部材４２の右側面の後方には右方向に突出する凸部４２Ｂが形成されている。凸部４２Ｂはスライド部材４２の右側面の中間部から後方に向けて徐々に右方向に延びる傾斜面４２Ｃを有している。
【００３６】
便座取付具５０は、軸部材５１と筒部材５２と圧縮コイルバネ５３とを有している。筒部材５２は軸部材５１を挿通する貫通孔を有している。圧縮コイルバネ５２は軸部材５１が上昇する方向に弾性力を付与している。
【００３７】
軸部材５１は、円柱状の第１軸部５１Ａと、この第１軸部５１Ａの下端に連続する円柱状の第２軸部５１Ｂと、第１軸部５１Ａの上端に連続する円盤状の頭部５１Ｃとを有している。第２軸部５１Ｂの外径は第１軸部５１Ａの外径よりも小さく形成されている。頭部５１Ｃの直径は第１軸部５２Ａの外径よりも大きく形成されている。
【００３８】
第２軸部５１Ｂの下端部の外周には第２軸部５１Ｂを一周する溝部５１Ｄが設けられている。この溝部５１ＤにはＯリング５４がはめ込まれて取り付けられている。Ｏリング５４は圧縮コイルバネをリング状に連結したものである。
【００３９】
第２軸部５１Ｂの下端面には円盤状の停止部材５１ＥがボルトＢ２により取り付けられている。停止部材５１Ｅは筒部材５３の下端部に取り付けられる後述する被結合部材５５の外径より僅かに大きい外形を有している。このため、停止部材５１Ｅが被係止部材５５の下端面に当接し、軸部材５１が筒部材５２から上方へ抜けてしまうことを防止している。
【００４０】
筒部材５２は、外周面にねじ山が刻まれた円筒状の胴部５２Ａと、胴部５２Ａの下端に取り付けられる被結合部材５５と、胴部５２Ａの上端に連続する平面視が正方形の平板状の頭部５２Ｂとを有している。筒部材５２は軸部材５１の第２軸部５１Ｂより長く形成されている。被結合部材５５は内周面に軸部材５１のＯリング５４が係止する段部５５Ａ（図１７及び図１８参照）が形成されている。
【００４１】
圧縮コイルバネ５３は、筒部材５２の貫通孔の内周面と、筒部材５２の貫通孔に挿通した第２軸部５１Ｂの外周面との間に収納されている。圧縮コイルバネ５３は軸部材５１を上昇させる方向に弾性力を付与している。このように、便座取付具５０は上下方向に伸縮可能に形成されている。
【００４２】
便座取付具５０は、軸部材５１の頭部５１ＣとボルトＢ１が挿通するワッシャーＷ１とにより上プレート４０を挟み込んだ状態でボルトＢ１をねじ込むことにより、上プレート４０から下方に延びて取り付けられる。また、便座取付具５０は、筒部材５２を下プレート３０の貫通孔３１Ａと便器本体１Ａ、１Ｂに貫設された取付孔３とを挿通し、筒部材５２の下端から挿入したワッシャーＷ２を挟持してナットＮをねじ込むことにより、下プレート３０を便器本体１Ａ、１Ｂの上面に固定することができる。
【００４３】
このように構成された便座リフトアップ装置２０を利用して、図２及び図４〜図８に示すように、大型便器の便器本体１Ａに便座装置１０を取り付けて昇降便座を構成する場合と、図３及び図９〜図１３に示すように、標準便器の便器本体１Ｂに便座装置１０を取り付けて昇降便座を構成する場合とを比較して説明する。
【００４４】
大型便器の便器本体１Ａに便座装置１０を取り付ける際には、標準便器の便器本体１Ｂに便座装置１０を取り付ける際に比べて、図２及び図３に示すように、便器本体１Ａ、１Ｂの取付孔３に対して便座装置１０を前方側に取り付けることになる。つまり、大型便器の便器本体１Ａに便座装置１０を取り付ける際（図６、図７参照）には、標準便器の便器本体１Ｂに便座装置を取り付ける際（図１１及び図１２参照）に比べて、上プレート４０を取付孔３に対して前方側に取り付ける。このためには、図５及び図１０に示すように、下プレート３０を上下面を反転させずに前後を反転させて便器本体１Ａ、１Ｂの上面に固定する。
【００４５】
上下面を反転させず前後を反転させて下プレート３０を便器本体１Ａ、１Ｂの上面に固定するそれぞれの場合、貫通孔３１Ａの前後方向の中心位置を示すマーク３５に便座取付具５０の筒部材５２を合わせて、貫通孔３１と、便器本体１Ａ、１Ｂに貫設された取付孔３とに筒部材５２を挿通する。その後、筒部材５２の下端から挿入しワッシャーＷ２を挟持してナットＮをねじ込む。
【００４６】
このようにして下プレート３０を便器本体１Ａ、１Ｂの上面に固定すると、下プレート３０を反転させる前後において、前後に並んで配置された各第１係止部３３が取付孔３に対して３０ｍｍずつ前後方向に変位する。つまり、大型便器の便器本体１Ａに下プレート３０を取り付けた場合、標準便器の便器本体１Ｂに下プレート３０を取り付けた場合に比べて、取付孔３に対して３０ｍｍずつ各第１係止部３３を前方に変位させることができる。
【００４７】
また、マーク３５によって筒部材５２を貫通孔３１に挿通する基準位置を容易に認識することができるため、便座リフトアップ装置２０の便器本体１Ａ、１Ｂへの取り付けを容易に行なうことができる。また、各第１係止部３３を前後方向に確実に３０ｍｍずつ変位させることができる。
【００４８】
下プレート３０を上下面を反転させずに前後を反転することにより第１係止部３３を前後方向に変位させるため、下プレート３０の前後方向の長さは短くすることができる。このため、下プレート３０の前端部が便器本体１Ａ、１Ｂの取付孔３より前方に大きく迫り出すことを防止することができ、下プレート３０の前端部を便器本体１Ａ、１Ｂに形成された便鉢２の後端縁から離すことができる。よって、飛散した尿等が下プレート３０と便器本体１Ａ、１Ｂの後部上面の間に侵入し難くなる。また、上プレート４０が上昇し、便器本体１Ａ、１Ｂの後部上面と便座支持部材１３との間に隙間を設けると、露出する便器本体１Ａ、１Ｂの後部上面の面積を大きくすることができ、良好に清掃することができる。
【００４９】
したがって、実施例の便座リフトアップ装置２０は、便器本体１Ａ、１Ｂの後部上面が汚れ難く、かつ清掃性を良好にすることができる。
【００５０】
大型便器の便器本体１Ａ又は標準便器の便器本体１Ｂに合わせて下プレート３０を取り付けた後、図６〜図８及び図１１〜図１３に示すように、下プレート３０に対する上プレート４０の位置決めを行うとともに、上プレート４０を下プレート３０に対して下降させて第１係止部３３と第２係止部４３とを係止させる。
【００５１】
つまり、上プレート本体４１の長孔４６Ａの上方からワッシャーＷ１を介してボルトＢ１を挿通する。長孔４６を挿通したボルトＢ１は、便座取付具５０の軸部材５１の頭部４１Ｃに形成された螺子孔５１Ｆに仮締めされる。この状態で上プレート４０を下降させ、下プレート３０の嵌合部３４に上プレート４０の被嵌合部４７を嵌合させる。そして、ボルトＢ１を螺子孔５１Ｆに本締めする。このため、下プレート３０に対する上プレート４０の位置決めを容易に行なうことができる。
【００５２】
このようにして、上プレート４０を取付孔３に対して前後方向に３０ｍｍ変位して取り付けることができ、それぞれの位置で上プレート４０を下プレート３０に対して昇降させることができる。このため、取付孔３に対して前後方向に３０ｍｍ変位させた上プレート４０に便座装置１０の便座支持部材１３を取り付けることにより、大型便器及び標準便器のそれぞれに対応した昇降便座を構成することができる。
【００５３】
便器本体１Ａ、１Ｂの上面に取り付けられた便座リフトアップ装置２０は、図１３及び図１４に示すように、上プレート４０が下降した際、下プレート３０に設けられた４つの第１係止部３３と上プレート４０に設けられた４つの第２係止部４３とが係止する。
【００５４】
つまり、上プレート４０に設けられた４つの第２係止部４３は、左右方向（図１３及び図１４において上下方向）に往復移動可能なスライド部材４２に設けられているため、下プレート３０に設けられた４つの第１係止部３３の係止片３３Ｂの下方に左側（図１３及び図１４において上側）から第２係止部４３の被係止片４３Ｂが進入し、第１係止部３３と第２係止部４３は係止することができる。このように、下プレート３０が上下面を反転させずに前後を反転して便器本体１Ａ、１Ｂの上面に取り付けられても、下プレート３０に設けられた第１係止部３３と上プレート４０に設けられた第２係止部４３とは良好に係止することができる。
【００５５】
また、４つの第１係止部３３は、前後方向及び左右方向に２つずつ並んで配置されており、下プレート３０が上下面を反転させずに前後を反転して便器本体１Ａ、１Ｂの上面に固定されても、前後方向に並んで配置された各第１係止部３３は、前後方向に並んだ配置された第２係止部４３に対して同じ位置関係に配置され、かつ左右方向に並んで配置された各第１係止部３３は、左右方向に並んで配置された第２係止部４３に対して同じ位置関係に配置される。このため、下プレート３０が上下面を反転せずに前後を反転して便器本体１Ａ、１Ｂの上面に固定されても、下プレート３０に設けられた各第１係止部３３と上プレート４０に設けられた各第２係止部４３とを良好かつ強固に係止することができる。これにより、上プレート４０は下降位置において安定して保持される。
【００５６】
したがって、実施例の便座リフトアップ装置２０は、便器本体の大きさの変化に対応することができ、便座装置１０を便器本体１Ａ、１Ｂの上面に安定して取り付けることができる。
【００５７】
大型便器の便器本体１Ａ又は標準便器の便器本体１Ｂの上面に取り付けられ、上プレート４０が下降して第１係止部３３と第２係止部４３とが係止した状態の便座リフトアップ装置２０に対し、便座装置１０を以下に説明するように取り付ける。
【００５８】
便座装置１０を便座リフトアップ装置２０よりも前の便器本体１Ａ、１Ｂの上面に載置し、便座支持部材１３の凹部１４に便座リフトアップ装置２０の重ね合わされた下プレート３０と上プレート４０とが収納されるように、便座支持部材１３を後方へスライドさせる。この際、凹部１４の段部１４Ａに上プレート４０の鍔部４１Ａが係止し、かつ凹部１４内で下方に突出する２つの爪部１５Ａが上プレート４０の２列の係止溝４５に挿入されるようにスライドさせる。便座支持部材１３が後方へスライドする際、爪部１５Ａがスライド部材４２の凸部４２Ｂの傾斜面４２Ｃに当接し、スライド部材４２を左方向に移動させる。爪部１５Ａは傾斜面４２Ｃに当接し、徐々にスライド部材４２を左方向に移動させるため、抵抗が少なく、便座支持部材１３を後方へ容易にスライドさせることができる。便座支持部材１３を完全に後方へスライドさせると、圧縮コイルバネ４９の弾性力によりスライド部材４２が右方向に移動し、爪部１５Ａが係止溝４５の段部４５Ａに係止する。これにより、便座支持部材１３が前方へ移動することができなくなり、便座装置１０は、図１５（ａ）、図１６（ａ）及び図１７に示すように、便座リフトアップ装置２０に取り付けられる。
【００５９】
便座リフトアップ装置２０を利用して便座装置１０を便器本体１Ａ、１Ｂの上面に取り付けた昇降便座は、図１５（Ｂ）及び図１６（Ｂ）に示すように、便座装置１０のレバー部材１５の操作部１５Ｂを左方向に引き出すと、爪部１５Ａがスライド部材４２の凸部４２Ｂに当接して、スライド部材４２を左方向に移動させる。このため、スライド部材４２に設けられた第２係止部４３が左方向に移動し、その中間位置において、第１係止部３３との係止状態が解除される。この状態で、便座装置１０の便座支持部材１３を保持して、上方へ引き上げると、便座取付具５０の圧縮コイルバネ５３の弾性力を利用して、図１８及び図１９に示すように、便座装置１０を容易に引き上げることができる。
【００６０】
また、便座装置１０を上昇位置まで引き上げると、便座取付具５０の軸部材５１のＯリング５４が被結合部材５５の段部５５Ａに係止し、便座装置１０を上昇位置に保持することができる。
【００６１】
便座装置１０のレバー部材１５の操作部１５Ｂを完全に左方向に引き出すと、図１５（Ｃ）及び図１６（Ｃ）に示すように、爪部１５Ａが係止溝４５の段部４５Ａより左方向に移動し、係止状態が解除される。このため、便座装置１０を前方へ引き出すことができ、便座装置１０を便座リフトアップ装置２０から取り外すことができる。
【００６２】
本発明は上記記述及び図面によって説明した実施例に限定されるものではなく、例えば次のような実施例も本発明の技術的範囲に含まれる。
（１）実施例では、第１係止部を移動させずに第２係止部を左右方向に往復移動可能としたが、第１係止部を左右方向に往復移動可能として第２係止部を移動させない構成としてもよい。
（２）実施例では、第１係止部と第２係止部を４つずつ設けたが、下プレートが上下面を反転させずに前後を反転して便器本体の上面に固定されても第２係止部に対して同じ位置関係に配置されていれば第１係止部及び第２係止部の数はいくつであってもよい。
（３）実施例では、第１係止部と第２係止部を前後方向及び左右方向に並んで４つずつ設けたが、下プレートが上下面を反転させずに前後を反転して便器本体の上面に固定されても第２係止部に対して同じ位置関係に配置されていれば第１係止部及び第２係止部の前後方向のみ、又は左右方向のみに並んで設けてもよい。また、前後方向及び左右方向に３つ以上並べてもよい。
（４）実施例では下プレートに第１係止部、上プレートに第２係止部及びロック機構を設けたが、下プレートに第２係止部及びロック機構と同様な機構を設け、上プレートに第１係止部と同様な機構を設けてもよい。
（５）実施例では係止部を１枚の金属板を切り欠き、さらに折り曲げて形成しているが、係止部は別体に形成し下プレートに一体にしてもよい。
【符号の説明】
【００６３】
１Ａ、１Ｂ…便器本体
３…取付孔
１０…便座装置
１１…便座
１３…便座支持部材
２０…便座リフトアップ装置
３０…下プレート
３１Ａ…貫通孔
３３…第１係止部
４０…上プレート
４３…第２係止部
５０…便座取付具
【図１】
0005384411.tif 000002
【図２】
0005384411.tif 000003
【図３】
0005384411.tif 000004
【図４】
0005384411.tif 000005
【図５】
0005384411.tif 000006
【図６】
0005384411.tif 000007
【図７】
0005384411.tif 000008
【図８】
0005384411.tif 000009
【図９】
0005384411.tif 000010
【図１０】
0005384411.tif 000011
【図１１】
0005384411.tif 000012
【図１２】
0005384411.tif 000013
【図１３】
0005384411.tif 000014
【図１４】
0005384411.tif 000015
【図１５】
0005384411.tif 000016
【図１６】
0005384411.tif 000017
【図１７】
0005384411.tif 000018
【図１８】
0005384411.tif 000019
【図１９】
0005384411.tif 000020